(57)【要約】      （修正有）【課題】クロック出力のＧＮＤを本体筐体ＧＮＤに短絡させるか、絶縁するかをユーザーが任意に切り換えできるマスタークロックジェネレーターを提供する。【解決手段】デジタルオーディオ機器に用いられるマスタークロックジェネレーターであって、出力が筐体ＧＮＤと絶縁される内部発振器１と、出力ＧＮＤを筐体ＧＮＤに接続する切り換えスイッチ４とを備え、切り換えスイッチをＯＮ（短絡）する事によって出力ＧＮＤが筐体ＧＮＤに接続されて出力ＧＮＤと筐体ＧＮＤが同電位になり、切り換えスイッチをＯＦＦ（開放）する事によって出力ＧＮＤが筐体ＧＮＤと切り離されて出力ＧＮＤと筐体ＧＮＤが絶縁インピーダンスマッチングトランス２を介して絶縁されるように構成する。出力信号のＧＮＤ電位が筐体ＧＮＤと絶縁または短絡を任意に選択してデジタルオーディオ機器に接続できる。【選択図】図１
0003225821.tif 000002
【実用新案登録請求の範囲】
【請求項１】
デジタルオーディオ機器に用いられるマスタークロックジェネレーターであって、出力が筐体ＧＮＤと絶縁される内部発振器と、出力ＧＮＤを筐体ＧＮＤに接続する切り換えスイッチとを備え、前記切り換えスイッチをＯＮ（短絡）する事によって出力ＧＮＤが筐体ＧＮＤに接続されて出力ＧＮＤと筐体ＧＮＤが同電位になり、前記切り換えスイッチをＯＦＦ（開放）する事によって出力ＧＮＤが筐体ＧＮＤと切り離されて出力ＧＮＤと筐体ＧＮＤが絶縁されるように構成する事により、出力信号のＧＮＤ電位が筐体ＧＮＤと絶縁または短絡を任意に選択してデジタルオーディオ機器に接続できる事を特徴とするマスタークロックジェネレーター。
【考案の詳細な説明】
【技術分野】
【０００１】  本考案はデジタルオーディオ機器に用いられるマスタークロックジェネレーターに関するものである。
【背景技術】
【０００２】  従来のマスタークロックジェネレーターは、クロック出力のＧＮＤが本体の筐体電位と短絡しているか絶縁されているかの、どちらかの一方の方式であって、製品によってユーザーが必要としている方式が備わっているとは限らなかった。そのためユーザーのオーディオシステムに最適な方法が選べずシステムの最良の設定が得られない場合があり、クロック信号にノイズが混入する事があった。
【考案の概要】
【考案が解決しようとする課題】
【０００３】  商用電源によって動作するオーディオ機器の筐体ＧＮＤは、内部電源部のトランスのストレーキャパシティによって大地接地に対する電圧を生じている。そのため複数のオーディオ機器で構成されるオーディオシステムでは、各機器の筐体ＧＮＤ間に数ボルト〜数十ボルトの電位差が生じていて、信号線を各機器間に接続した時、信号のＧＮＤ側の電位差によって電流が流れ、本来伝送したい信号の以外のノイズが生じる原因となっている。この各筐体ＧＮＤ電位差の問題を解決しようと各機器の筐体ＧＮＤを配線によって１点に結びつけて大地接地し、各機器のＧＮＤ電位差をなくする対策を取っている場合もある。しかし、それは個別にユーザーが選択する方法であり、全てのユーザーが各機器の筐体ＧＮＤを１点に配線で結びつけて大地接地しているとは限らない。このような状況の中、特にノイズの影響を受けやすいマスタークロックジェネレーターでは、クロック出力のＧＮＤを筐体ＧＮＤと絶縁している出力回路の構造にする場合がある。これはクロック出力のＧＮＤが筐体ＧＮＤ電位と絶縁されている事により、クロック出力にマスタークロックジェネレーターの筐体ＧＮＤの電位差が影響せず、接続した機器に電流が流れないようにするためである。または、マスタークロックジェネレーターでは、回路が単純になる事からクロック出力のＧＮＤ電位を筐体ＧＮＤ電位に短絡している回路も用いられている。各機器の筐体ＧＮＤ電位を１点に結びつけて大地接地に接続しているオーディオシステムの場合には、マスタークロックジェネレーターのクロック出力のＧＮＤが、筐体ＧＮＤと短絡されている方が耐ノイズ性能が良い場合がある。このように現状のマスタークロックジェネレーターのクロック出力は、筐体ＧＮＤとクロック出力のＧＮＤが短絡した非絶縁型の出力形式とクロック出力のＧＮＤが筐体ＧＮＤと絶縁された絶縁型の出力形式の２通り存在する。マスタークロックジェネレーターによっては、この２通りの形式のどちらか一方の方式のみを備えている場合や、２通りの形式をそれぞれ複数混在させて備えている場合があった。このような状況では、ユーザーはクロック出力のＧＮＤと筐体の非絶縁または絶縁のどちらかの方法を状況に応じて自由に選択しオーディオシステムのノイズ対策を行う事が出来なかった。
【課題を解決するための手段】
【０００４】  前述の課題を解決するために、マスタークロックジェネレーターのクロック出力のＧＮＤを本体筐体ＧＮＤに短絡させるか、絶縁するかをユーザーが任意に切り換えができる機能を具備することを特徴としたマスタークロックジェネレーターが提供される。
【考案の効果】
【０００５】  請求項１記載の考案によれば、マスタークロックジェネレーターのクロック出力のＧＮＤを本体筐体ＧＮＤに短絡させるか、絶縁するかをユーザーが任意に切り換えができる機能を具備することを特徴としたマスタークロックジェネレーターにより、オーディオシステムの状況に合わせてクロック信号のＧＮＤ電位を筐体ＧＮＤまたは絶縁のいずれかに任意で選択する事ができ、接続されたオーディオ機器間でクロック信号の伝送を最良の状態で伝送する事ができる。
【図面の簡単な説明】
【０００６】
【図１】本考案の一実施形態によるマスタークロックジェネレーターの出力回路の構成を示す回路図である。
【図２】本考案の一実施形態によるマスタークロックジェネレーターと、クロック出力のＧＮＤ電位をクロックジェネレーターの筐体ＧＮＤと絶縁してデジタルオーディオ機器に接続した状態を示す図である。
【図３】本考案の一実施形態によるマスタークロックジェネレーターと、クロック出力のＧＮＤ電位をクロックジェネレーターの筐体ＧＮＤと短絡してデジタルオーディオ機器に接続した状態を示す図である。
【考案を実施するための形態】
【０００７】  以下、本考案の一実施例を図面に基づいて説明する。図１は本実施形態によるマスタークロックジェネレーターの出力回路の構成を示す回路図である。
【０００８】  マスタークロックジェネレーターの内部発振器の出力（１）は、絶縁インピーダンスマッチングトランス（２）によってマスタークロックジェネレーター筐体ＧＮＤと絶縁されて出力ＢＮＣコネクター（３）に接続される。
【０００９】  マスタークロックジェネレーターには、筐体ＧＮＤとＢＮＣコネクターＧＮＤが絶縁されているクロック信号を出力するＢＮＣコネクター（３）と、クロック信号のＧＮＤと筐体ＧＮＤを短絡または絶縁を切り換えるスイッチ（４）が取り付けられる。使用者は、選択したい短絡または絶縁を切り換えスイッチ（４）で設定する。
【００１０】  使用者が切り換えスイッチ（４）をＯＮ（短絡）する事によってクロックＧＮＤが筐体ＧＮＤと短絡されてクロック出力のＧＮＤは、筐体ＧＮＤと同電位になる。
【００１１】  使用者が切り換えスイッチ（４）をＯＦＦ（開放）する事によってクロックＧＮＤと筐体ＧＮＤは切り離されて、クロック出力のＧＮＤが筐体ＧＮＤと絶縁になる。
【００１２】  切り換えスイッチ（４）の種類は、手動で接点が短絡または開放されるものでも良く、また、リレーによって制御回路から短絡または開放される接点でも良い。スイッチの形状は問わないため、プリント基板上に設置した短絡ピンでも同等に使用できる。
【００１３】  図２は本実施形態によるマスタークロックジェネレーター（５）とマスタークロック信号が入力可能なデジタルオーディオ機器（９）との接続状態の説明である。
【００１４】  外部クロック入力を備えたデジタルオーディオ機器（６）に対しては、マスタークロックジェネレーター（５）のクロック出力（７）をＢＮＣ同軸ケーブル（８）でデジタルオーディオィオ機器（９）に接続する。
【００１５】  切り換えスイッチ（６）をＯＮ（短絡）する事によって、マスタークロックジェネレーター（５）の筐体ＧＮＤとデジタルオーディオ機器（９）の筐体ＧＮＤは、ＢＮＣ同軸ケーブル（８）によって接続される。
【００１６】  切り換えスイッチ（６）をＯＦＦ（開放）する事によって、マスタークロックジェネレーター（５）の筐体ＧＮＤとデジタルオーディオ機器（９）の筐体ＧＮＤは、ＢＮＣ同軸ケーブル（８）によっても接続されない。
【符号の説明】
【００１７】  １・・・マスタークロックジェネレーター内部発振器出力
２・・・絶縁インピーダンスマッチングトランス
３・・・筐体絶縁型クロック出力ＢＮＣコネクター
４・・・クロック出力のＧＮＤ信号の絶縁・短絡切り換えスイッチ
５・・・マスタークロックジェネレーター
６・・・クロック出力のＧＮＤ信号の絶縁・短絡切り換えスイッチ
７・・・クロック出力ＢＮＣ端子
８・・・ＢＮＣ同軸ケーブル
９・・・デジタルオーディオ機器
１０・・・デジタルオーディオ機器  外部クロック入力端子
【図１】
0003225821.tif 000003
【図２】
0003225821.tif 000004
【手続補正書】
【提出日】令和2年1月20日(2020.1.20)
【手続補正２】
【補正対象書類名】明細書
【補正対象項目名】０００６
【補正方法】変更
【補正の内容】
【０００６】
【図１】  本考案の一実施形態によるマスタークロックジェネレーターの出力回路の構成を示す回路図である。
【図２】  本考案の一実施形態によるマスタークロックジェネレーターと、クロック出力のＧＮＤ電位をクロックジェネレーターの筐体ＧＮＤと絶縁してデジタルオーディオ機器に接続した状態を示す図である。